(57)【要約】【課題】スケジュール管理を的確に行う。【解決手段】着信日時履歴データに基づいて電話または電子メールの発信を行う日時を設定する発信スケジュール設定部１１と、設定した日時に到達した場合に発信を行うか否かを確認する発信確認部１２とを備える。【選択図】図１
2008244949.tif 000002
【特許請求の範囲】
【請求項１】
スケジュール機能を有する携帯電話端末において、
着信日時履歴データに基づいて電話または電子メールの発信を行う日時を設定する発信スケジュール設定手段と、
設定した日時に到達した場合に発信を行うか否かを確認する発信確認手段とを備える携帯電話端末。
【請求項２】
設定した日時に到達する前に、発信を取り消す指示が発生した場合に、前記発信スケジュール設定手段で設定した発信を取り消す手段を備える請求項１に記載の携帯電話端末。
【請求項３】
前記発信確認手段は、暗証番号またはパスワードの入力、照合の後、発信を行うか否かを確認する請求項１に記載の携帯電話端末。
【発明の詳細な説明】
【技術分野】
【０００１】
本発明はスケジュール機能を有する携帯電話端末に関する。
【背景技術】
【０００２】
近年、携帯電話端末は、電話や電子メールの受発信という基本的な機能以外にも、テレビ放送受信機能や電子決済機能を搭載するなど、多機能化が著しい。１つの端末で多くの用途に使用できることから、住所録や電話番号、行事予定などのあらゆる情報を集約して、自らの情報記憶手段として携帯電話端末を利用する使用者も増加している。そのため、特に、携帯電話端末のスケジュール管理機能に対するニーズが高まっている。
【０００３】
従来の携帯電話端末では、スケジュール管理用アプリケーションを搭載し、当該アプリケーションのスケジュール設定に応じて着信規制を行ったり、スケジュールの中に発着信履歴を記録、表示させたりする機能が提案されている（例えば、特許文献１参照）。
【特許文献１】特開平１１−４１３６９号公報
【発明の開示】
【発明が解決しようとする課題】
【０００４】
携帯電話端末で時間管理する必要のあるスケジュールは、相手からの電話や電子メールの着信によって生じることが多い。例えば、ビジネス用途においては、顧客からの問い合わせの電話に対して、所定期間内に返事をする旨を伝えて電話を切る場合などが頻繁に生じる。そのような際に、スケジュール管理用アプリケーションを都度起動し、返信予定の入力等を行うのは非常に煩雑であり、後で入力を行おうとすると結局忘れてしまうというような問題があった。
【０００５】
このように、携帯電話端末使用者の現実的なニーズとして、電話や電子メールの着信日時履歴と連動したスケジュール管理、特に、発信スケジュール予約がある。しなしながら、従来の携帯電話端末は、着信に対応して簡単な操作で返信スケジュールの設定を行いたいというニーズに対応できないという課題がある。
【課題を解決するための手段】
【０００６】
本発明は、スケジュール機能を有する携帯電話端末において、着信日時履歴データに基づいて電話または電子メールの発信を行う日時を設定する発信スケジュール設定手段と、設定した日時に到達した場合に発信を行うか否かを確認する発信確認手段とを備える。この構成によれば、電話や電子メールの着信に対応して、着信相手へ返信するスケジュールを容易に設定することができる。また、設定した返信日時に到達した際、返信の可否を確認したうえで相手への発信動作を実行するため、精度および安全性の高い発信スケジュール管理を行うことができる。
【０００７】
本発明において、設定した日時に到達する前に、発信を取り消す指示が発生した場合に、前記発信スケジュール設定手段で設定した発信を取り消す手段を備える。この構成によれば、発信スケジュールの設定後いつでも設定を取り消すことができ、スケジュールの変更等に柔軟に対応することができる。
【０００８】
本発明において、前記発信確認手段は、暗証番号またはパスワードの入力、照合の後、発信を行うか否かを確認する。この構成によれば、携帯電話端末の正当な使用者のみが発信の可否を決定することができるので、精度および安全性の高い発信スケジュール管理を行うことができる。
【発明を実施するための最良の形態】
【０００９】
図１は本発明の実施の形態における携帯電話端末の構成を示す図である。携帯電話端末は、制御部１、表示制御部２、表示部３、通信制御部４、無線部５、キー操作部６、記憶部７を備える。
【００１０】
制御部１を構成する発信スケジュール設定部１１は、電話や電子メールの着信日時履歴に基づいて発信スケジュールを設定する。発信確認部１２は、発信スケジュール設定部１１で設定した発信の日時が到来した際、電話や電子メールの発信を行うか否かを確認する。また、設定したスケジュールの途中キャンセルの受け付けも行う。
【００１１】
表示制御部２は、表示部３の表示制御を行う。表示部３は、液晶等の表示素子で構成され、発信スケジュール設定の際のユーザインターフェース画面表示など、各種表示を行う。通信制御部４は、無線部５を介した電話や電子メールの送受信を制御する。無線部５は、無線通信により基地局との間で電話や電子メールの送受信を行う。キー操作部６は、キーボードで構成され、操作者による発信スケジュールの設定入力などを受け付ける。記憶部５は、発信スケジュール設定部１１での設定内容などを記憶する。
【００１２】
図２は本発明の実施の形態における携帯電話端末の発信スケジュール設定動作手順を示すフローチャートである。携帯電話端末の制御部１は、無線部５および通信制御部４を介しての電話や電子メールの着信を常時監視している（ステップＳ１０１）。着信を検知し（ステップＳ１０１のＹｅｓ）、着信が完了した場合（ステップＳ１０２）、制御部１は、スケジューラを起動させ（ステップＳ１０３）、着信日時履歴を反映させる（スケジュール１０４）。ここで、スケジューラとは公知のスケジュール管理用アプリケーションで、従来の携帯電話端末に搭載されているプログラムを利用してかまわない。
【００１３】
その後、制御部１の発信スケジュール設定部１１は、当該着信に対応して発信スケジュールの設定を行うか否かの選択画面表示を、表示部３を介して行う（ステップＳ１０５）。設定を行う選択がなされた場合には（ステップＳ１０５のＹｅｓ）、着信相手に対する発信スケジュールの設定を行う（ステップＳ１０６）。設定画面では、発信予定日および時刻について指定が行える。
【００１４】
図３は本発明の実施の形態における携帯電話端末の発信確認動作手順を示すフローチャートである。制御部１の発信確認部１２は、発信スケジュール設定部１１において設定した発信スケジュールに対して、設定取り消しの入力があるか否か（ステップＳ２０１）、また発信設定時刻に到達したか否か（ステップＳ２０２）を常時監視している。設定取り消しの入力がなく（ステップＳ２０１のＮｏ）、発信設定時刻に到達した場合（ステップＳ２０２のＹｅｓ）、発信確認部１２は、後述する所定の報知動作を行う（ステップＳ２０３）。
【００１５】
図４は報知動作手順を示すフローチャートである。発信確認部１２は、記憶部７に記録された報知方法の設定を確認し（ステップＳ３０１）、設定に応じた報知動作を行う（ステップＳ３０２）。即ち、報知方法の設定が画面表示である場合、発信時刻であることを表示部３に表示する（ステップＳ３０３）。一方、報知方法の設定が音声である場合、予め設定された音声を鳴らして発信時刻であることを報知する（ステップＳ３０４）。尚、並行して表示部３に上記の画面表示を行ってもかまわない。また、報知方法の設定が振動である場合、予め設定されたパターンでバイブレータの振動を行い発信時刻であることを報知する（ステップＳ３０５）。尚、並行して表示部３に上記の画面表示を行ってもかまわない。
【００１６】
図３のフローチャートに戻り、発信確認部１２は、上記報知動作の後に操作者による発信開始動作が行われる否かを監視する（ステップＳ２０４）。所定時間が経過するまでに操作者による発信開始動作が確認されない場合（ステップＳ２０４のＮｏ）、発信確認部１２は、操作者が携帯電話端末の近傍にいないものと判断して、後述する報知内容転送動作を実行する（ステップＳ２０５）。一方、例えば、操作者がキー操作部６のいずれかのキーを押下するなどして発信を開始したい旨の意図が確認された場合、発信確認部１２は、後述する発信確認動作を実行する（ステップＳ２０６）。
【００１７】
図５は報知内容転送動作手順を示すフローチャートである。発信確認部１２は、記憶部７に記録された転送に係る設定内容を確認する（ステップＳ４０１）。電話や電子メールの発信予定時刻が到来していることの報知を、他のパーソナルコンピュータ等に対して転送する設定が行われている場合（ステップＳ４０２のＹｅｓ）、発信確認部１２は、当該報知内容の転送を行う（ステップＳ４０３）。設定がなされていない場合には（ステップＳ４０２のＮｏ）、転送等は行わない。
【００１８】
図６は発信確認動作手順を示すフローチャートである。発信確認部１２は、暗証番号入力画面を表示部３に表示して、操作者に暗証番号の入力を促す（ステップＳ５０１）。キー操作部６を介した操作者の入力が正規の暗証番号である場合（ステップＳ５０２のＹｅｓ）、発信確認部１２は、次に発信可否選択画面を表示して（ステップＳ５０３）、設定された相手への発信を行うか否かを選択させる（ステップＳ５０４）。操作者が発信を選択した場合、発信確認部１２は、通信制御部４および無線部５を介して、設定された相手に対して発呼または電子メールの送信を行う（ステップＳ５０５）。
【００１９】
発信確認部１２は、発呼または電子メールの送信が成功したか否かを監視し（ステップＳ５０６）、成功した場合には発信が成功した旨の画面表示を行う（ステップＳ５０７）。一方、通話中や不在、宛先不明などによる配信失敗など、発信に失敗した場合にはその旨の画面表示を行う（ステップＳ５０８）。一方、ステップＳ５０４において、電話の発呼や電子メールの送信を行わないことを選択した場合、発信確認部１２は、設定していた発信スケジュールの取り消し内容を表示部３に表示させる（ステップＳ５０９）。
【００２０】
発信確認動作手順において、所定回数以上誤った暗証番号が入力された場合には、以降の入力を受け付けないようにするなどの安全上の設定が行えるようにしておいてもよい。また、暗証番号の代わりにパスワードを入力させるようにしたり、暗証番号とパスワードの両方を入力させるように設定したりしてもかまわない。
【００２１】
図３のフローチャートに戻り、発信確認部１２は、設定していたスケジュールに従って実行した発信の内容（即ち、発信先や発信日時に関する情報）や他のパーソナルコンピュータ等へ転送された内容（即ち、転送先や転送日時、転送した報知内容に関する情報）などを、上記のスケジューラに時系列で反映する（ステップＳ２０８）。
【００２２】
尚、ステップＳ２０１において、発信スケジュール設定部１１で設定した発信スケジュールの取り消し入力を確認した場合、即ち、待機の途中で発信スケジュールのキャンセルが発生した場合、発信確認部１２は、取り消し内容の画面表示を行ってから（ステップＳ２０７）、当該取り消しされた設定スケジュールの内容（即ち、取り消しされた日時や予定していた発信先に関する情報）をスケジューラに反映することとなる（ステップＳ２０８）。設定取り消しの入力は、キー操作部６における所定キーの押下などにより行えるようにしておけばよい。以上の手順により、一連の発信確認動作が終了する。
【００２３】
ところで、スケジューラに反映されたすべての情報は、操作者がスケジューラ上で参照することができ、参照している内容に基づいて更に発信スケジュールを設定することも可能である。図７は、スケジューラ参照時における発信スケジュール設定動作手順を示すフローチャートである。
【００２４】
例えば、電話が着信した相手に所定の日時に返信の発呼を行ったが、不在で発呼が成功しなかったような場合でも、操作者がスケジューラを起動して（ステップＳ６０１）、登録された発呼失敗の情報を参照すると（ステップＳ６０２）、発信スケジュール設定部１１は、当該参照情報に関して発信スケジュールの設定を行うか否かの選択画面表示を行い（ステップＳ６０３）、設定を行う選択がなされた場合には（ステップＳ６０３のＹｅｓ）、発信スケジュールの設定を行う（ステップＳ６０４）。設定画面では、発信予定日および時刻について指定が行える。
【００２５】
上記実施の形態における携帯電話端末によれば、着信日時履歴情報に基づいて、対応する相手への電話や電子メールの発信スケジュールを簡単な操作で設定することができるので、電話や電子メールの着信により生じたスケジュールの管理を的確に行うことができる。
【図面の簡単な説明】
【００２６】
【図１】本発明の実施の形態における携帯電話端末の構成を示す図
【図２】本発明の実施の形態における携帯電話端末の発信スケジュール設定動作手順を示すフローチャート
【図３】本発明の実施の形態における携帯電話端末の発信確認動作手順を示すフローチャート
【図４】報知動作手順を示すフローチャート
【図５】報知内容転送動作手順を示すフローチャート
【図６】発信確認動作手順を示すフローチャート
【図７】スケジューラ参照時における発信スケジュール設定動作手順を示すフローチャート
【符号の説明】
【００２７】
１  制御部
２  表示制御部
３  表示部
４  通信制御部
５  無線部
６  キー操作部
７  記憶部
１１  発信スケジュール設定部
１２  発信確認部
【図１】
2008244949.tif 000003
【図２】
2008244949.tif 000004
【図３】
2008244949.tif 000005
【図４】
2008244949.tif 000006
【図５】
2008244949.tif 000007
【図６】
2008244949.tif 000008
【図７】
2008244949.tif 000009